(57)【特許請求の範囲】
【請求項１】
電線群の端部に接続された端子を収容するコネクタと、該コネクタの後端部に開口端部が嵌合され、該コネクタの後方に導出された前記電線群を保護するプロテクタとを備えるプロテクタ付コネクタであって、
前記プロテクタの開口端部に周方向に沿って結束バンドを装着する溝が形成され、
前記開口端部の前記溝が形成されている周方向の一部に、前記開口端部が前記コネクタの後端部に嵌合された際に形成される隙間が設けられ、
前記溝の一部に前記結束バンドのバンド本体が挿通されるとともに、前記バンド本体のロック部が係止される係止枠が設けられ、
前記溝に装着される結束バンドの結束力により、前記隙間の間隔が狭められるように構成した
ことを特徴とするプロテクタ付コネクタ。
【請求項２】
前記プロテクタに連接され前記電線群の軸方向の動きを規制するゴムブーツをさらに備え、
前記ゴムブーツの先端部分が前記プロテクタの内部に介装され、さらに前記ゴムブーツの先端部が前記プロテクタの開口端部の内側と前記コネクタの後端部との間に配置され、
前記溝に装着される結束バンドの結束力により、前記ゴムブーツの先端部を介して前記プロテクタの開口端部の内側が前記コネクタの後端部側に押圧されるように構成した
ことを特徴とする請求項１に記載のプロテクタ付コネクタ。
【請求項３】
前記プロテクタは、厚み方向に対して直交する方向に上下に分割されたカバーとプロテクタ本体とで構成され、
前記カバーと前記プロテクタ本体との接合部分に、前記開口端部が前記コネクタの後端部に嵌合された際に形成される隙間が設けられている
ことを特徴とする請求項１又は２に記載のプロテクタ付コネクタ。
【発明の詳細な説明】
【技術分野】
【０００１】
本発明は、コネクタにプロテクタ等が装着されているプロテクタ付コネクタに関する。
【背景技術】
【０００２】
プロテクタ付コネクタは、コネクタの後方に導出されたワイヤハーネス等の電線群がプロテクタにより収容保護され、さらにプロテクタに連接されるゴムブーツにより軸方向の動きが規制される構成を有している。
【０００３】
このようなプロテクタ付コネクタの一例としては、たとえば図８（ａ）に示すように、コネクタ１にプロテクタ２が装着される構成がとられている。この場合、同図（ａ）のｄ−ｄ線に沿った断面図である図８（ｂ）に示すように、コネクタ１の後端部１ａにプロテクタ２の開口部２ａが嵌合される。ところが、コネクタ１の形状とプロテクタ２の形状において、それぞれバラツキがある。
【０００４】
そのため、そのバラツキを考慮するようにすると、コネクタ１の後端部１ａとプロテクタ２の開口部２ａとの間に所定の隙間３が形成されるようにする必要がある。このような隙間３が形成されてしまうと、コネクタ１の後端部１ａにプロテクタ２の開口部２ａが嵌合されたとき、コネクタ１の後端部１ａとプロテクタ２の開口部２ａとの間がガタついてしまうばかりか、その隙間３から水が進入してしまうおそれがある。ちなみに、その隙間３から水が進入してしまうと、内部腐食を生じたり、電線群のショートを生じたりする。
【０００５】
このような不具合を解消するようにしたものとして、たとえば特許文献１に示されているカバー付コネクタが知られている。このカバー付コネクタは、コネクタハウジング（コネクタに相当する）に被ロック部を形成し、カバー（プロテクタに相当する）のカバー本体の両側部の一方にヒンジ部を介して開き止めロック板を一体形成し、コネクタハウジングの被ロック部を開き止めロック板によりカバー本体のロック部に押圧付勢するようにした構成としたものである。
【先行技術文献】
【特許文献】
【０００６】
【特許文献１】特開２０１０−５５８６３号公報
【発明の概要】
【発明が解決しようとする課題】
【０００７】
上述した特許文献１に示されるカバー付コネクタでは、開き止めロック板によりカバー本体のロック部が押圧付勢されるため、コネクタハウジング（コネクタに相当する）とカバー（プロテクタに相当する）のロック間のクリアランスを無くすことができ、コネクタハウジング（コネクタに相当する）とカバー（プロテクタに相当する）との嵌合部分がガタつかないようになっている。
【０００８】
ところが、このようなカバー付コネクタでは、コネクタハウジング（コネクタに相当する）とカバー本体とのロック間のクリアランスが無くなり、嵌合部分でのガタつきが無くなるものの、カバー（プロテクタに相当する）のカバー本体の両側部の一方にヒンジ部を介して開き止めロック板を一体形成したり、カバー本体にロック部を形成し、コネクタハウジングの被ロック部をそのロック部に係止させたりしているため、コネクタハウジング（コネクタに相当する）とカバー本体とのガタつきの無い嵌合のための構成が複雑なものとなってしまうという問題があった。
【０００９】
本発明は、このような状況に鑑みてなされたものであり、簡単な構成でコネクタとプロテクタとの嵌合部分のガタつきを確実に無くすことができるプロテクタ付コネクタを提供することを目的とする。
【課題を解決するための手段】
【００１０】
本発明のプロテクタ付コネクタは、電線群の端部に接続された端子を収容するコネクタと、該コネクタの後端部に開口端部が嵌合され、該コネクタの後方に導出された前記電線群を保護するプロテクタとを備えるプロテクタ付コネクタであって、前記プロテクタの開口端部に周方向に沿って結束バンドを装着する溝が形成され、前記開口端部の前記溝が形成されている周方向の一部に、前記開口端部が前記コネクタの後端部に嵌合された際に形成される隙間が設けられ、前記溝の一部に前記結束バンドのバンド本体が挿通されるとともに、前記バンド本体のロック部が係止される係止枠が設けられ、前記溝に装着される結束バンドの結束力により、前記隙間の間隔が狭められるように構成したことを特徴とする。
また、前記プロテクタに連接され前記電線群の軸方向の動きを規制するゴムブーツをさらに備え、前記ゴムブーツの先端部分が前記プロテクタの内部に介装され、さらに前記ゴムブーツの先端部が前記プロテクタの開口端部の内側と前記コネクタの後端部との間に配置され、前記溝に装着される結束バンドの結束力により、前記ゴムブーツの先端部を介して前記プロテクタの開口端部の内側が前記コネクタの後端部側に押圧されるように構成したことを特徴とする。
また、前記プロテクタは、厚み方向に対して直交する方向に上下に分割されたカバーとプロテクタ本体とで構成され、前記カバーと前記プロテクタ本体との接合部分に、前記開口端部が前記コネクタの後端部に嵌合された際に形成される隙間が設けられていることを特徴とする。
本発明のプロテクタ付コネクタでは、プロテクタの開口端部に周方向に沿って形成されている溝に結束バンドを装着し、その結束バンドを結束すると、プロテクタの開口端部の溝が形成されている周方向の一部に設けられた隙間の間隔が狭められ、プロテクタの開口端部の内側がコネクタの後端部側に押圧される。
【発明の効果】
【００１１】
本発明のプロテクタ付コネクタによれば、プロテクタの開口端部に周方向に沿って形成されている溝に結束バンドを装着し、その結束バンドを結束すると、プロテクタの開口端部の溝が形成されている周方向の一部に設けられた隙間の間隔が狭められ、プロテクタの開口端部の内側がコネクタの後端部側に押圧されるようにしたので、簡単な構成でコネクタとプロテクタとの嵌合部分のガタつきを確実に無くすことができる。
【図面の簡単な説明】
【００１２】
【図１】本発明のプロテクタ付コネクタの一実施形態を説明するものであって、コネクタ、プロテクタ、ゴムブーツが一体化された状態を示す斜視図である。
【図２】図１のプロテクタ付コネクタのプロテクタに結束バンドが装着された状態を示す斜視図である。
【図３】図２の結束バンドを示す斜視図である。
【図４】図１のプロテクタ付コネクタを示す側面図である。
【図５】図１のプロテクタ付コネクタを示す平面図である。
【図６】図４及び図５のプロテクタ付コネクタを示す図であって、図６（ａ）は図４のａ−ａ線に沿った断面図であり、図６（ｂ）は図５のｃ−ｃ線に沿った断面図である。
【図７】図５のｂ−ｂ線に沿った断面図である。
【図８】従来のプロテクタ付コネクタを示すものであって、同図（ａ）はプロテクタ付コネクタを示す平面図、同図（ｂ）は同図（ａ）のｄ−ｄ線に沿った断面図である。
【発明を実施するための形態】
【００１３】
以下、本発明のプロテクタ付コネクタの一実施形態の詳細を、図１〜図７を参照して説明する。なお、以下に説明するプロテクタ付コネクタは、たとえば車両にて配索されるワイヤハーネス等の電線群の保護や経路規制等に用いられるものである。
【００１４】
まず、図１及び図２に示すように、プロテクタ付コネクタ１０は、コネクタ２０、プロテクタ３０、ゴムブーツ４０を備えている。コネクタ２０及びプロテクタ３０は、インサート成形品である。
【００１５】
コネクタ２０は、図示しない電線群の端部を収容するものであり、一体構成とされたものであって、開口端２１側にその電線群の端部の端子が配置される構成を有している。プロテクタ３０は、その開口端部の内側がコネクタ２０の後端部側に嵌合されるものである。また、プロテクタ３０は、コネクタ２０の後方に導出された図示しない電線を収容保護するものであって、厚み方向に対して直交する方向に上下に分割されたプロテクタ本体３１とカバー３２とを有している。
【００１６】
プロテクタ本体３１の幅方向の左側面には、後述のロック爪３４が係止されるロック枠部３３が形成されている。なお、図１及び図２には示されていないが、プロテクタ本体３１の幅方向の右側面にもロック枠部３３が形成されている。また、プロテクタ本体３１の先端側（コネクタ２０の後端部と嵌合される側）には、結束バンド５０が装着される溝３３ａが形成されている。溝３３ａには、結束バンド５０のバンド本体５１が挿通されるとともに、ロック部５３が係止される係止枠３３ｃが設けられている。なお、係止枠３３ｃは、後述の溝３３ｂ側に設けられていてもよい。
【００１７】
一方、カバー３２のバンド本体５１側に向けられた開口縁部には、プロテクタ本体３１のロック枠部３３に係止されるロック爪３４が設けられている。また、カバー３２の先端側（コネクタ２０の後端部と嵌合される側）には、結束バンド５０が装着される溝３３ｂが形成されている。ここで、プロテクタ本体３１にカバー３２が装着されることにより、溝３３ａ、３３ｂがプロテクタ本体３１及びカバー３２の開口縁部の周方向で連通するようになっている。
【００１８】
また、これらの溝３３ａ、３３ｂに結束バンド５０が装着されることで、結束バンド５０の位置ズレが防止される。また、上述した係止枠３３ｃに結束バンド５０のバンド本体５１が挿通されるとともに、バンド本体５１のロック部５３が係止されることで、結束バンド５０の溝３３ａ、３３ｂに沿っての位置ズレが防止される。
【００１９】
また、プロテクタ本体３１及びカバー３２の開口縁部であって、溝３３ａ、３３ｂが形成されている周方向の一部に、図６（ｂ）に示すように、隙間３３ｄが設けられている。この隙間３３ｄは、プロテクタ３０の開口端部がコネクタ２０の後端部側に嵌合された際に形成されるものであり、プロテクタ本体３１及びカバー３２の溝３３ａ、３３ｂが形成されている部分の接合部分に形成されているものであって、結束バンド５０の結束力により、その間隔が狭められるようになっている。これにより、プロテクタ本体３１及びカバー３２の開口縁部の内側がコネクタ２０の後端部側に押圧されるようになっている。なお、その隙間３３ｄにあっては、溝３３ａ、３３ｂが形成されている周方向の一部に限らず、厚み方向に対して直交する方向に上下に分割されたカバー３２とプロテクタ本体３１との接合部分の全域にわたって形成されるようにしてもよい。
【００２０】
また、プロテクタ本体３１及びカバー３２の後端側には、ゴムブーツ４０の引出孔３５ａが形成されている。このゴムブーツ４０は、プロテクタ３０により収容保護される図示しない電線の長手向の動きを規制するものである。また、ゴムブーツ４０の先端部分がプロテクタ３０の内部に介装され、さらにゴムブーツ４０の後述の先端部４１がプロテクタの開口端部の内側とコネクタ２０の後端部との間に配置されている。なお、コネクタ２０とプロテクタ３０との嵌合状態や、ゴムブーツ４０の装着状態の詳細については後述する。
【００２１】
ここで、上述した溝３３ａ、３３ｂには、たとえば図３に示すような結束バンド５０が装着される。結束バンド５０は、内面に複数の鉤部５２を有したバンド本体５１と、このバンド本体５１を挿通させて任意の位置の鉤部５２を着脱自在に係止する四角枠状のロック部５３とを備えている。
【００２２】
次に、コネクタ２０とプロテクタ３０との嵌合状態や、ゴムブーツ４０の装着状態について説明する。まず、コネクタ２０の後端部における幅方向左右での嵌合状態等について説明する。
【００２３】
すなわち、図４及び図４のａ−ａ線に沿った断面図である図６に示すように、コネクタ２０の幅方向左右の後端部には、係合段部２２が周方向に沿って設けられている。また、コネクタ２０の後端部の幅方向左右には、係合片２３が設けられている。この係合片２３は、プロテクタ本体３１の幅方向左右の先端部の溝３３ａの内側に向けて突設されている。
【００２４】
また、この係合片２３は、後述のゴムブーツ４０の先端部４１の係合溝４２に係合されるようになっている。これにより、ゴムブーツ４０の先端部４１の位置ズレ等が抑制される。
【００２５】
一方、プロテクタ本体３１の幅方向左右の先端部の溝３３ａの内側には、ゴムブーツ４０の先端部４１を収容保持する収容凹部３５が設けられている。この収容凹部３５がコネクタ２０の幅方向左右の後端部の嵌合部分とされている。なお、ゴムブーツ４０の先端部４１の幅方向左右の内側には、上述した係合片２３が係合される係合溝４２が設けられている。また、ゴムブーツ４０の先端は、コネクタ２０の幅方向左右の係合段部２２に当接するようになっている。
【００２６】
ここで、ゴムブーツ４０の幅方向左右の先端部４１がコネクタ２０の幅方向左右の後端部とプロテクタ本体３１の幅方向左右の先端部の収容凹部３５との間に介在されるため、コネクタ２０の幅方向左右の後端部とプロテクタ本体３１の幅方向左右の先端部との間、すなわち、コネクタ２０とプロテクタ本体３１との幅方向左右の嵌合部分がゴムブーツ４０の先端部４１により密閉されることになる。
【００２７】
また、コネクタ２０の後端部における厚み方向上下での嵌合状態等について説明すると、図５及び図５のｂ−ｂ線に沿った断面図である図７に示すように、コネクタ２０の厚み方向上下の後端部には、上述した係合段部２２が設けられている。また、コネクタ２０の厚み方向上方の後端部には、折返し片２３ａが設けられている。コネクタ２０の厚み方向下方の後端部には、当接段部２３ｂが設けられている
【００２８】
一方、カバー３２の先端部の溝３３ｂの内側は、上述したコネクタ２０の厚み方向上方の折返し片２３ａに対応している。そして、その溝３３ｂの内側と折返し片２３ａとの間に、ゴムブーツ４０の先端側が挟持される。なお、ゴムブーツ４０の先端は、コネクタ２０の厚み方向上方の係合段部２２に当接するようになっている。
【００２９】
また、ゴムブーツ４０の先端部４１には、折返し片２３ａの先端に係合される係合段部４３が設けられている。これにより、上述した結束バンド５０の結束力により、その溝３３ｂの内側と折返し片２３ａとの間、すなわち、コネクタ２０とカバー３２との厚み方向上方での嵌合部分が、ゴムブーツ４０の先端部４１により密閉されることになる。
【００３０】
また、プロテクタ本体３１の先端部の溝３３ａの内側は、上述したコネクタ２０の厚み方向下方の当接段部２３ｂに対応している。そして、その溝３３ａの内側と当接段部２３ｂとの間に、ゴムブーツ４０の先端部４１が挟持される。なお、ゴムブーツ４０の先端は、コネクタ２０の厚み方向下方の係合段部２２に当接するようになっている。
【００３１】
これにより、上述した結束バンド５０の結束力により、その溝３３ａの内側と当接段部２３ｂとの間、すなわち、コネクタ２０とプロテクタ本体３１との厚み方向下方での嵌合部分がゴムブーツ４０の先端部４１により密閉されることになる。
【００３２】
このように、本実施形態では、プロテクタ３０の開口端部に周方向に沿って形成されている溝３３ａ、３３ｂに結束バンド５０を装着し、その結束バンド５０を結束すると、プロテクタ３０の開口端部の溝３３ａ、３３ｂが形成されている周方向の一部に設けられた隙間３３ｄの間隔が狭められるようにした。これにより、プロテクタ３０の開口端部の内側がコネクタ２０の後端部側に押圧されることから、簡単な構成でコネクタ２０とプロテクタ３０との嵌合部分のガタつきを確実に無くすことができる。
【００３３】
また、本実施形態では、プロテクタ３０の開口端部に周方向に沿って形成されている溝３３ａ、３３ｂに結束バンド５０を装着し、その結束バンド５０を結束すると、プロテクタ３０の開口端部の溝３３ａ、３３ｂが形成されている周方向の一部に設けられた隙間３３ｄの間隔が狭められ、さらに、先端部４１がプロテクタ３０の開口端部の内側とコネクタ２０の後端部との間に配置されたゴムブーツ４０を介し、プロテクタ３０の開口端部の内側がコネクタ２０の後端部側に押圧されるようにした。これにより、プロテクタ３０の開口端部の内側とコネクタ２０の後端部との間が密閉されることから、コネクタ２０とプロテクタ３０との嵌合部分のガタつきを無くしつつ、コネクタ２０とプロテクタ３０との嵌合部分からの水の進入を確実に防止することができる。
【００３４】
また、結束バンド５０が溝３３ａ、３３ｂに装着されるため、結束バンド５０の位置ズレを防止することができる。
【００３５】
また、本実施形態では、たとえば溝３３ａに結束バンド５０のバンド本体５１が挿通されるとともに、バンド本体５１のロック部５３が係止される係止枠３３ｃが設けられているため、結束バンド５０の溝３３ａ、３３ｂに沿っての位置ズレを防止することができる。
【００３６】
また、プロテクタ３０の厚み方向に対して直交する方向に上下に分割されたカバー３２とプロテクタ本体３１との接合部分の全域にわたって、プロテクタ３０の開口端部がコネクタ２０の後端部に嵌合された際に形成される隙間３３ｄが設けられるようにすると、コネクタ２０の形状とプロテクタ３０の形状においてそれぞれバラツキがあっても、それぞれバラツキを許容することができる。
【産業上の利用可能性】
【００３７】
たとえば車両にて配索されるワイヤハーネス等の電線群の保護や経路規制等に用いられるもの以外に、電力線や信号線等の保護や経路規制等に用いられるものにも適用可能である。
【符号の説明】
【００３８】
１  コネクタ
２  プロテクタ
１０  プロテクタ付コネクタ
２０  コネクタ
２１  開口端
２２  係合段部
２３  係合片
２３ａ  折返し片
２３ｂ  当接段部
３０  プロテクタ
３１  プロテクタ本体
３２  カバー
３３  ロック枠部
３３ａ、３３ｂ  溝
３３ｃ  係止枠
３３ｄ  隙間
３４  ロック爪
３５  収容凹部
３５ａ  引出孔
４０  ゴムブーツ
４１  先端部
４２  係合溝
４３  係合段部
５０  結束バンド
５１  バンド本体
５２  鉤部
５３  ロック部
【図１】
0005952076.tif 000002
【図２】
0005952076.tif 000003
【図３】
0005952076.tif 000004
【図４】
0005952076.tif 000005
【図５】
0005952076.tif 000006
【図６】
0005952076.tif 000007
【図７】
0005952076.tif 000008
【図８】
0005952076.tif 000009